(57)【特許請求の範囲】
【請求項１】
板状被搬送体をその板厚方向に対して垂直な方向に搬送する搬送手段と、
その搬送路上の板状被搬送体の一方の面側に対向して開口する開口部を有し、搬送手段で順次搬送される複数の板状被搬送体をその開口部から搬送順に積層して収納する収納室と、
搬送路を挟んで収納室の開口部に対向する位置に設けられ、収納室に収納されている板状被搬送体のうち最も搬送路側の板状被搬送体を収納室への収納方向に押圧し、収納室に収納されている板状被搬送体の搬送路上流側端部を下流側端部よりも前記収納方向に変位させる押圧手段と、
その押圧手段による板状被搬送体の変位量を規制するストッパと、
収納室内に設けられ、収納室に収納されている板状被搬送体を押圧手段の押圧力よりも弱い付勢力で前記収納方向と反対方向に付勢する付勢手段とを備え、
前記搬送手段によって搬送される板状被搬送体は、収納室に収納されて搬送路上流側端部が収納方向に変位している板状被搬送体のうち最も搬送路側の板状被搬送体の搬送路側の面によってガイドされ、前記押圧手段の押圧力に抗して既に収納されている板状被搬送体と押圧手段との間に挿入されて収納されることを特徴とする板状被搬送体の整列収納装置。
【請求項２】
請求項１の板状被搬送体の搬送手段は、板状被搬送体の搬送路に設けられた一対のローラにより構成され、板状被搬送体の収納室側に設けられた一方のローラに対し、他方のローラは板状被搬送体の搬送路で下流側に位置して、板状被搬送体が前記収納室内で積載枚数を増加するとき、板状被搬送体の移動は一方のローラに妨げられないことを特徴とする板状被搬送体の整列収納装置。
【発明の詳細な説明】
【０００１】
【発明の属する技術分野】
本発明はプラスチック、金属等の板状被搬送体を垂直姿勢で水平方向に搬送して整列収納可能な板状被搬送体の整列収納装置に関する。
【０００２】
【従来の技術】
従来、プラスチック等の板状被搬送体に印刷したり、磁気読取りをして、搬送する装置としては、平面水平方向搬送が主流で、排出整列収納は自重方向に積層するようになっていた。このような平面水平方向搬送装置は、水平に板状被搬送体を搬送させるローラ類、ホッパー（収容室）およびスタッカ（収納室）にダストが溜りやすく、板状被搬送体にダスト付着を余儀なくされる。更に、サーマルヘッドを使用する装置においては、サーマルヘッドに係合するインクリボンカセット等が直立し、全体構成の高さが高くなるため、キーボード、表示装置等を有するハンディワープロのような小型化が困難となる。上述問題点の解決手段として、板状被搬送体を垂直姿勢で水平方向に搬送することで小型化が可能となるが、連続して板状被搬送体を印刷等の処理部に搬送し、処理する装置において、板状被搬送体の表面と裏面の印刷等の処理があり、更に表面と裏面の相互関連性を必要とする場合、順序よく搬送整列収納されなければ、次工程が行えないという問題点がある。
【０００３】
【発明が解決しようとする課題】
本発明は、板状被搬送体を垂直姿勢でも水平方向に搬送して整列収納可能な板状被搬送体の整列収納装置を提供することを課題とする。
【０００４】
【課題を解決するための手段】
板状被搬送体をその板厚方向に対して垂直な方向に搬送する搬送手段と、その搬送路上の板状被搬送体の一方の面側に対向して開口する開口部を有し、搬送手段で順次搬送される複数の板状被搬送体をその開口部から搬送順に積層して収納する収納室と、搬送路を挟んで収納室の開口部に対向する位置に設けられ、収納室に収納されている板状被搬送体のうち最も搬送路側の板状被搬送体を収納室への収納方向に押圧し、収納室に収納されている板状被搬送体の搬送路上流側端部を下流側端部よりも前記収納方向に変位させる押圧手段と、その押圧手段による板状被搬送体の変位量を規制するストッパと、収納室内に設けられ、収納室に収納されている板状被搬送体を押圧手段の押圧力よりも弱い付勢力で前記収納方向と反対方向に付勢する付勢手段とを備え、前記搬送手段によって搬送される板状被搬送体は、収納室に収納されて搬送路上流側端部が収納方向に変位している板状被搬送体のうち最も搬送路側の板状被搬送体の搬送路側の面によってガイドされ、前記押圧手段の押圧力に抗して既に収納されている板状被搬送体と押圧手段との間に挿入されて収納されることを特徴とする。
【０００５】
また、前記板状被搬送体の搬送手段は板状被搬送体の搬送路に設けられた一対のローラにより構成され、板状被搬送体の収納室側に備えられた一方のローラに対し他方のローラは板状被搬送体の搬送路で下流側に位置させた。
【０００６】
【発明の実施の形態】
本発明は、板状被搬送体の搬送路に設けられたサーマルヘッド、磁気リーダ等の搬送路下流側に一方のローラである位置固定ローラと、この位置固定ローラに対して板状被搬送体が通過する毎にその厚さに対応して移動する他方のローラである移動ローラとを設け、この両ローラより搬送路下流側に板状被搬送体の搬送路にオーバーラップし、且つ板状被搬送体の後部を前方に傾斜させるように構成した板状被搬送体の押圧手段を設け、この押圧手段に対向して板状被搬送体が整列収納されて積載枚数が増加する毎に自体が移動し、板状被搬送体を付勢整列させる付勢整列手段を配置している。
【０００７】
このように構成されているので、板状被搬送体が位置固定ローラと移動ローラ間に位置して、移動ローラの回動により板状被搬送体が搬送されると、第１番目に搬送される板状被搬送体は、押圧手段と付勢整列手段とに当接し、この両手段を各々開口させて搬送をガイドされながら、所定の位置に位置する。
第２番目に搬送される板状被搬送体は、押圧手段と第１番目の板状被搬送体の平面とに当接し、押圧手段と付勢整列手段とを開口させて所定の位置に位置し、第３番目以後に搬送されるの板状被搬送体も同様の実施が行われる。なお、
【０００８】
また、板状被搬送体の搬送手段は板状被搬送体の搬送路に設けられた一対のローラにより構成され、板状被搬送体の収納室側に備えられた一方のローラに対し他方のローラは板状被搬送体の搬送路で下流側に位置しているので、板状被搬送体が前記収納室内で積載枚数を増加するとき、板状被搬送体の移動は一方のローラに妨げられないで収容される。
【０００９】
【実施例】
図１乃至図５は本発明の実施例である。図２は本発明の板状被搬送体としてのカードの整列収納装置と入力、表示および印字装置とを組合わせたカードプリンタの概略平面図である。
図２において、１はキーボード使用の入力装置、３は表示装置、５はサーマルヘッド、７はリボンカセットである。９は板状被搬送体の収容室（以下収容室という）にして、この収容室９には複数枚のカードＣが垂直に載置されていて、カードＣは押し板１１によりスプリング（不図示）の張力で常に手前方向に付勢されている。１３は半月ローラにして、この半月ローラ１３はモータ（不図示）の駆動によりカードＣを１枚ずつ間欠的に後に記載する印字装置方向に給送するようにしている。
【００１０】
ローラ右１５、ローラ左１７およびテンションローラ１９には、ベルト２１が巻回され、テンションローラ１９にはスプリング（不図示）によりベルト２１に張力が付与されている。ベルト２１は駆動源（不図示）からの駆動を、ローラ右１５に伝達されることにより回転するようになっている。ローラ右１５とローラ左１７の略中央部にプラテン２３を配置し、その対向にサーマルヘッド５を配置させ、このサーマルヘッド５に係合させてインクリボンカセット７を配置している。このサーマルヘッド５、インクリボンカセット７およびプラテン２３とにより印字装置を構成している。
【００１１】
２５はピンチローラ右、２７はピンチローラ左にして、ピンチローラ右２５は前記ローラ右１５に対向し、ピンチローラ左２７はローラ左１７に対向して、ベルト２１の方向にスプリング（不図示）により付勢されていて、カードＣが搬送されていないときはベルト２１に係合している。
【００１２】
カードＣの搬送部２９には、一方のローラである位置固定ローラ３１と他方のローラである移動ローラ３３とが設けられていて、移動ローラ３３は回動自在の位置固定ローラ３１に対向し、位置固定ローラ３１よりもカードＣの搬送路Ｐより下流側に位置して、図３に示すように支点Ｓ１を中心に揺動自在に構成されスプリング（不図示）の張力により常に矢示Ａ方向の位置固定ローラ３１に付勢されていて、カードＣが通過する毎にその厚さに対応し揺動して移動するようになっている。ピンチローラ右２５、ピンチローラ左２７、移動ローラ３３は、各々カードＣが通過する毎にその厚さに対応し、移動するようになっているが、カードＣの厚さが一定の場合は、移動しない構成にしてもよい。
【００１３】
カードＣの搬送路Ｐはベルト２１と、ピンチローラ右２５及びピンチローラ左２７間、並びに位置固定ローラ３１と移動ローラ３３間で搬送方向は図１において右より左方向へとなっている。なお、位置固定ローラ３１は移動ローラ３３より外径が小に形成され、両ローラ３１、３３はローラ左１７とギア類（不図示）により連結されて回動されるようになっている。
【００１４】
３５は押圧板にして、この押圧板３５は一側面３５ａがカードＣの搬送路Ｐに対し傾斜するように形成されていて、その傾斜部の端部３５ｂには回転自在のカードを押圧する押圧ローラ３５ｃがベルト搬送面２１ａより内側（図１において前方）に位置するように構成されていて、図１に示すように自体３５は軸３５ｄの支点Ｓ２を中心にして揺動するようになっており、先端には揺動を規制する規制部３５ｅが形成されていて、常にスプリング（不図示）の張力により図３の矢示Ｂ方向の前方に付勢されている。押圧板３５とスプリングとによりカードＣを押圧する押圧手段が構成されているが、押圧板３５とスプリングとを一体化した板バネで構成しても可能である。
【００１５】
３７はストッパにして、このストッパ３７は断面が略コ字状に形成され、前記規制部３５ｅがストッパ３７のコ字状の内側に当接し、押圧板３５の揺動が規制されるようになっている。
【００１６】
３８はカードＣの板状被搬送体の収納室（以下収納室という）、３９は付勢整列板にして、この付勢整列板３９には斜面３９ａが形成され、軸３９ｂを中心に回動自在であり、収納室３８内に位置し、支点Ｓ３を中心に揺動するように構成されていてスプリング（不図示）の張力により常に矢示Ｄの前記押圧板３５の方向に付勢されていて、搬送されてくるカードＣが倒れないようにしている。この付勢整列板３９とスプリングとで付勢整列手段を構成している。なお押圧板３５のスプリングの張力は、付勢整列板３９のスプリングの張力より大きく設定されている。
【００１７】
４１は規制板にして、この規制板４１は押圧板３５の軸３５ｄの近傍に押圧板３５と略直角にＳ４を中心に揺動するように設けられ、スプリング（不図示）の張力により常に反時計針方向に付勢され、搬送されてくるカードＣの先端を規制している。長さの長いカードＣが搬送されてきたときに、規制板４１は前記スプリング（不図示）の張力に抗して、時計針方向に開口するようになっている。
【００１８】
本発明で移動ローラ３３、押圧板３５及び付勢整列板３９は揺動するように実施例で示したが、直線移動するように構成しても同様に実施できる。なお、４３は収容室９に積載されているカードＣの給送用と搬送用モータ、４５はサーマルヘッド移動用のモータである。
【００１９】
このように構成されているので、図１に示すように、半月ローラ１３の回動により収容室９に垂直に収容されている最前列のカードＣの１枚が、給送されてベルト２１とピンチローラ右２５間に位置し、ベルト２１の時計針方向の回動によりカードＣが印字に適合する位置に位置すると、ＣＰＵ（不図示）によって制御されたサーマルヘッド５によってカードＣの所定位置に文字または画像情報が転写され、転写が完了するとベルト２１とピンチローラ左２７、及び位置固定ローラ３１と移動ローラ３３によりカードＣはその収納室３８内に収納される。
【００２０】
この第１番目に搬送されるカードＣは、押圧板３５の押圧ローラ３５ｃと付勢整列板３９の斜面３９ａに当接し、押圧板３５を時計針方向に揺動させ、付勢整列板３９を反時計針方向に揺動させて、最後に押圧板３５のスプリングの張力により、このカードＣを付勢整列板３９の方向に押し出し、押圧板３５と付勢整列板３９間に収納される。第２番目以後に搬送されるカードＣは、図４に示すように押圧板３５の押圧ローラ３５ｃと前回に搬送されたカードＣの平面に当接し、押圧板３５を時計針方向に揺動させ、付勢整列板３９を反時計針方向に揺動させて、図３に示す矢示Ｂの方向に押圧板３５のスプリングの張力により、このカードＣを付勢整列板３９の方向に押し出し、押圧板３５と前回に搬送されたカードＣ間に収納されるようになっている。
【００２１】
【発明の効果】
板状被搬送体を垂直姿勢で水平方向に搬送し、板状被搬送体の平面を使用して板状被搬送体を積載可能な構成としたので、装置の小型化が可能となり、更に板状被搬送体が確実に搬送順で整列収納されるので、最初に表面を印刷し、次工程で裏面の印刷等の処理をするとき表面と裏面の相互関連性が保たれて有効である。又、板状被搬送体の搬送路に設けられた一方のローラに対し、他方のローラは板状被搬送体の搬送路で下流側に位置しているので、板状被搬送体を連続して垂直に積載するとき、板状被搬送体はその移動を一方のローラに妨げられずに整列収納される。
【図面の簡単な説明】
【図１】本発明の第１番目に搬送される板状被搬送体が収納されるときの正面図
【図２】本発明が実施されたときのカードプリンタの概略平面図
【図３】本発明の動作を説明するための平面図
【図４】本発明の装置で板状被搬送体が順序よく整列収納されるときの平面図
【図５】図４と作動を異にしたときの平面図
【符号の説明】
Ｃ  板状被搬送体（カード）
３１  一方のローラ
３３  他方のローラ
３５  押圧手段
３９  付勢整列板
【図１】
0003640229.tif 000002
【図２】
0003640229.tif 000003
【図３】
0003640229.tif 000004
【図４】
0003640229.tif 000005
【図５】
0003640229.tif 000006